(57)【要約】      （修正有）【課題】側溝孔から流入する土砂やゴミを、容易に排除可能とする。【解決手段】側溝孔３２に篭を配設する。篭は、側溝孔から流入する異物を受け止める篭本体１４と、篭本体の上端外周部に配した水平係止部とからなり、水平係止板１１を側溝孔の外周部に係止させることによって篭本体を支持し、側溝孔から流入する土砂やゴミを篭本体によって受け止める。土砂やゴミは篭本体に溜まるので、清掃時には、篭本体を引き上げて中の異物（土砂やゴミ）を排除すればよい。側溝孔から篭本体が抜け出すことを防止するため、篭本体の底面近傍に突出部材１６を設ける場合がある【選択図】図１
2005232876.tif 000002
【特許請求の範囲】
【請求項１】
側溝孔に配設する篭であって、
側溝孔から流入する異物を受け止める篭本体と、
篭本体の上端外周部に配した水平係止部とを備えることを特徴とする側溝用篭。
【請求項２】
請求項１記載の水平係止部は、蛍光塗料材を含有させた樹脂材を用いることを特徴とする側溝用篭。
【請求項３】
篭本体は、底面近傍に突出部材を備え、
当該突出部材の差し渡し寸法は、篭本体の設置常態において側溝孔の径よりも大きいことを特徴とする請求項１または請求項２記載の側溝用篭。
【発明の詳細な説明】
【技術分野】
【０００１】
本発明は、側溝の清掃を簡易化するための篭の構造に関する。
【背景技術】
【０００２】
市街中心や住宅密集地には、雨雪を下水に案内するための排水用の側溝が設けられる。側溝には、通常、上蓋が設けられる。そして、この上蓋の適宜箇所、とくに端縁部分に排水用の孔部（側溝孔）が設けられ、雨雪を側溝に落とすようになっている。
【０００３】
近時問題になっているのは、側溝孔から入り込む土砂やゴミである。側溝周辺にある土砂やゴミは、降雨時に雨水とともに側溝孔から内部に流入するため、こまめに清掃しないと側溝中の水の流れが悪くなり、ときには溢れ出すなどして近隣住民に被害が及ぶ。
【０００４】
実際のところ、側溝が定期的に清掃がなされない地域では、近隣住民が側溝孔をジュースの空き缶などで蓋をしてしまい、雨水が流れ込まないようにしているケースもある。
【０００５】
このような実状に鑑みて提案されたのが、特開２００４−００３２５６号公報記載の発明である。これは、側溝孔を完全に塞いでしまうためのキャップの提案である。側溝孔を完全に塞いでしまえば、少なくとも自分が住む住宅の近隣の側溝孔から下水が逆流することもない。
【０００６】
一方、側溝孔に蓋をせずに、効率的に清掃が出来るようにするための提案もみられる。例えば、特開２００３−２３９２３４号公報記載の発明である。これは、網目状の収容袋体に把手を設けたもので、より容易に清掃作業ができるようにしたものである。把手付きの清掃具を用いれば、近隣住民だけでなく、行政の清掃員の作業効率も向上する。
【特許文献１】特開２００４−００３２５６号
【特許文献２】特開２００３−２３９２３４号
【発明の開示】
【発明が解決しようとする課題】
【０００７】
しかし、特許文献１に係る発明によれば、キャップを施した部分では土砂が溜まらず水が逆流しないというだけで、雨水を流す側溝全体の機能には何らの寄与もしていない。逆にキャップを施した部分では水が流れ落ちないため、雨水が他の側溝孔に回り込んで、当該部分を早期に目詰まりさせるだけである。
【０００８】
特許文献２に係る発明は、側溝に溜まったゴミをすくい出すには適しているが、土砂やゴミをすくい出す作業はどんなに良好な器具を使うとしても、作業効率の点で難がある。
【０００９】
そこで、本発明の目的は、側溝孔から流入する土砂やゴミをすくい出すことなく、より容易な作業で排除できるようにする点にある。
【課題を解決するための手段】
【００１０】
前記目的を達成するため、本発明は、側溝孔に篭を配設する（請求項１）。この篭は、側溝孔から流入する異物を受け止める篭本体と、篭本体の上端外周部に配した水平係止部とからなり（請求項１）、水平係止板を側溝孔の外周部に係止させることによって篭本体を支持し、側溝孔から流入する土砂やゴミを篭本体によって受け止める。土砂やゴミは篭本体に溜まるので、清掃時には、篭本体を引き上げて中の異物（土砂やゴミ）を排除すればよい。
【００１１】
請求項２は、篭本体を係止させる水平係止部の構成に関するもので、水平係止部を、蛍光塗料材を含有させた樹脂材を用いて成形する。樹脂材を用いるのは、第一に側溝孔の上を車両などの重量物が通過することを考慮した結果であり、自動車の荷重にも柔軟に対応して破損しにくい可撓性のある構造とする一方、第二に蛍光塗料材を含有させるためである。蛍光塗料材を含有させるのは、住宅地の道路のように、狭い道の側縁を発光塗料材の反射光によってわかりやすくするためである。蛍光色は、例えば黄色のように彩度の高いものが好ましい。
【００１２】
請求項３は、側溝孔から篭本体が抜け出すことを防止するもので、篭本体の底面近傍に突出部材を設けるものである。篭本体の抜け出しを防止するものであるから、該突出部材の差し渡し寸法は、篭本体の設置常態において側溝孔の径よりも大きくする。篭本体が、例えば暴風や悪戯により側溝孔から抜け出すと、土砂やゴミが側溝に入り込んで問題を起こす。このため、暴風や悪戯によっても篭本体が側溝孔から抜け出さないようにするため、篭本体の底面近傍に離脱防止用の突出部材を設けることで、側溝に敷設してあるブロックを引き起こさない限りは強制的に引っ張っても篭本体が外に出ないようにする構造である。なお、篭本体の上端部の左右の幅（差し渡し径）を側溝孔より大きくしても同様の効果は得られる。ただし、この場合は篭本体の上端部に配設する水平係止板の構造が複雑になるため製造コストが嵩むという難点がある。
【発明の効果】
【００１３】
本発明に係る側溝用篭によれば、側溝孔に係止させた篭本体に土砂やゴミが溜まるので、従来のように側溝内に溜まっている異物をすくい出す作業をすることなく、簡単な作業で土砂やゴミを排除することができる。自治体の予算が厳しく制限されている今日的な状況では、市町村の人件費や作業効率も可能な限り高めることが求められるが、かかる社会的要請にも応え得る構造である。
【発明を実施するための最良の形態】
【００１４】
図１、図２は、本発明に係る側溝用篭１０の実施形態を例示するもので、側溝ブロック３１の端縁に形成された孔凹部３２に装着する。側溝ブロック３１を敷設したときブロック端縁の孔凹部３２が雨雪を流入させる側溝孔となる。
【００１５】
本発明に係る側溝用篭１０は、上端部に水平係止板１１を備え、この水平係止板１１の下方に篭本体１４の上端部を連設してある。また、篭本体１４の下端部には四方向に突出部材１６を設けてある。
【００１６】
水平係止板１１は、側溝ブロック３１の孔凹部３２の外周部を囲むように装着し、下方にある篭本体１４を側溝孔（３２）に安定した状態で装填係止させる。側溝孔（凹部３２）の形状はほぼ統一されているが、図３に示すように隣接する側溝ブロック３１−１、３１−２の端縁に両方とも孔凹部３２を設けて、側溝孔を楕円形とする場合と、図４に示すように、隣接する側溝ブロック３１−１、３１−２の片側にのみ孔凹部３２を設けて、側溝孔を半楕円形とする場合とがある。図２に示す水平係止板１１は、図３に示す略楕円形の側溝孔に適用するものである。図４に示す半楕円形の側溝孔に適用する場合は、図５に示すように、水平係止板１１の輪郭形状も略半楕円形とすることが望ましい。部材面積を出来るだけ抑えるためである。
【００１７】
水平係止板１１は、乗用車やトラック等の車両の通過を考慮して、割れにくい材質ないし破損しにくい材質のものを使用する。金属板を用いても良いが、蛍光塗料材を含浸させて夜間における車両走行の安全を高めるには、硬質ではない樹脂材を用いることが望ましい。例えば、ゴムのような弾性樹脂である。蛍光塗料材を用いない場合は、金属でも木質系の材料でもよい。
【００１８】
水平係止板１１は、装填作業時や清掃作業時に簡単に篭本体１４を着脱させることが出来ればよい。好ましくは、側溝孔（３２）の外周縁部の形状に相似とするが、篭本体１４の着脱や安定性に支障がない限り、連続したリング状（環状）の形にする必要はない。また水平係止板１１は、安定した係止のために少なくとも底面が水平であれば良く、上面は湾曲した凸面形状や多数の凹凸をもつ形状に成形してあっても構わない。上面は係止（係着）の機能とは関係がないからである。
【００１９】
水平係止板１１の幅寸法は、通常２〜３ｃｍ程度とすれば良い。重量物、例えば多くの砂利が篭本体１４に流入する可能性のある場所では、幅寸法をもうすこし大きく設定しても良い。金属板のように重量に対する撓み強度が十分に強ければ、幅は１〜２ｃｍ程度で十分である。また水平係止板１１の肉厚は過剰に大きくする必要がないから、例えば３ｍｍ程度に設計すれば良い。
【００２０】
篭本体１４は、土砂やゴミを受け止めつつ速やかに水を排出できるよう、例えば網目状の部材とする。この篭本体１４は、土砂の流入に耐えて経年劣化による破損をできるだけ抑えるよう、例えば外径３〜１０ｍｍの樹脂製の骨線を用いて網目状に成形することが望ましい。材料は金属、樹脂、木を問わないが、耐久性やコストを考慮すれば、軟質系の樹脂材を用いることが最も望ましい。骨線自体は内部中空であっても構わない。内部中空であっても、肉厚を調整することによって篭本体１４の全体強度は十分に保証できるからである。難錆の金属骨線を用いる場合は、骨線の外径はより細く、例えば０．５〜２ｍｍ程度に設定できる。
【００２１】
篭本体１４は、折り畳み自由なネット材ではなく、製造時の外観形状を保つ程度の変形しにくい構造とすることが望ましい。土砂等の流入による変形、撓み、上下左右への動き、あるいは、それらの運動や荷重によって引き起こされる破損を防止するためである。篭本体１４の左右方向の径は、側溝孔よりも若干小さい程度に設計し、配設時に側溝ブロックの孔凹部３２によって押し潰されないように設定しておくことが望ましい。
【００２２】
篭本体１４は、側溝孔（側溝ブロック３１の孔凹部３２）から流入する土砂やゴミをうけることが出来れば良い。従って、側面から見たときに上部と下部の左右寸法が同一となる筒状である必要はない。上部が側溝孔（側溝ブロック３１の孔凹部３２）と略同一の左右寸法をもち、下方に向かって左右寸法が収縮する略三角錐型でも同様の機能を営むからである。但し、清掃メンテナンスの長期化を図る上からは、できるだけ大きな容積、つまり図１に示すような筒状とすることが望ましい。
【００２３】
篭本体１４の上下寸法は、とくに制限されない。しかし、好ましくは側溝ブロックの肉厚よりも若干大きくしておく。篭本体１４の下端または下端近傍に突出部材１６を設けて、暴風や悪戯による不慮の離脱を防止するためである。篭本体１４の下端または下端近傍に突出部材１６を設けておけば、暴風やいたずらに限らず、側溝が氾濫する洪水のような事態でも側溝用篭１０は側溝孔（３２）から離脱せず流失することもない。篭本体１４は網目状であるから、大量の流水に晒されても抵抗は最小限であり、流失を免れる。
【００２４】
突出部材１６は、側溝用篭１０が側溝孔（３２）から抜け出さないように出来ればよいので、その形状は限定されない。
【００２５】
しかしながら、より簡単に側溝用篭１０を装填し、あるいは清掃時に容易に引き出すことが出来るようにするには、例えば、四方向に向けて水平方向に延びる可撓性のある突出構造とすることが望ましい。略均等角度で四方向に突出部材１６を設けておき、当該部材がある程度の可撓性をもっていれば、装着時には、側溝ブロック３１を持ち上げずに、側溝孔（３２）からそのまま側溝用篭１０を押し込んで配設することが出来るし、清掃時には、篭（１０）の上端部（水平係止板１１または／および篭本体上部）を把持して強制的に引き上げることにより、土砂やゴミの詰まった篭本体１４を取り出すことが出来るからである。人力による引き出しは可能であっても、暴風や流水等の外力では抜け出さない程度の強度とすることが望ましい。可撓性を保証するため、突出部材１６は例えば樹脂製の平板を使用することが出来る。樹脂片を利用すれば、製造コストも低減することが出来る。
【００２６】
従って、かかる構造の側溝用篭１０によれば、側溝孔（３２）から押し込むようにしてに簡単に装着できる一方、使用中は暴風や流水による抜け出しを防止しつつ土砂やゴミを篭本体１４に着実に溜めることが出来る。清掃時には、篭（１０）の上部を把持して引き抜き、土砂やゴミを排除した上で、再度、嵌め込むように押し込んで装着すればよいから、清掃作業がきわめて簡単かつ効率的になる。側溝内部の土砂やゴミをすくい出す必要がないし、側溝ブロック３１を持ち上げたり、清掃後に側溝ブロック３１を敷設しなおす手間も省ける。女性や高齢者であっても簡単に清掃できるので、限られた自治体の予算の範囲内でも定期的な清掃メンテナンスが可能となるし、近隣住民による自主的な清掃も容易となる。
【００２７】
なお、本発明に係る側溝用篭１０は、以上説明した構造のものに限定されるわけではない。例えば、水平係止板１１は、破損しにくい部材で篭本体１４の係止状態を安定させることが出来れば良く、必ずしも蛍光塗料材を含有している必要はない。形状も側溝孔（３２）の輪郭線に沿った形状とする必要はない。
【００２８】
篭本体１４は、側溝ブロック３１の下方において側溝孔（３２）よりも大きな径寸に成形しても良い。但し、側溝孔（３２）の大きさよりも過剰に大きくしすぎると装着時や清掃時に側溝ブロック３１を引き起こす必要があるので、好ましい形状とはいえない。篭本体は網目状に限らず、ごみを受け止め排水できる隙間または孔部をもっていれば良い。
【００２９】
篭本体１４の下端に配設する突出部材１６は、肉薄の金属材（例えば平板または線材束）を利用しても良い。樹脂で成形する場合でも、肉厚を小さくしておけば平面形状を環状ないし環状類似の形状に成形して略同一の効果を得ることが出来る。
【図面の簡単な説明】
【００３０】
【図１】本発明に係る側溝用篭を側面から例示する図である。
【図２】図１に示す側溝用篭を平面から例示する図である。
【図３】側溝ブロックと側溝孔の関係を例示する第一の平面図である。
【図４】側溝ブロックと側溝孔の関係を例示する第二の平面図である。
【図５】図４に示す側溝孔に適用する水平係止板を例示する平面図である。
【符号の説明】
【００３１】
１０  側溝用篭
１１  水平係止板
１４  篭本体
１６  突出部材
３１、３１−１、３１−２  側溝ブロック
３２  孔凹部（側溝孔）
【図１】
2005232876.tif 000003
【図２】
2005232876.tif 000004
【図３】
2005232876.tif 000005
【図４】
2005232876.tif 000006
【図５】
2005232876.tif 000007